(57)【要約】【課題】  遮蔽板を取り付けること無く内部の温度上昇を抑制でき、合わせて防錆効果のある全塗装をし易い電気機器用収納箱を提供する【解決手段】  本体１の天板１２には通気口１２ａが開口形成されると共に、天板１２上には屋根板３が配置されて通気口１２ａ上部が一定の隙間を設けて覆われている。本体１の左右側板及び扉板２の背部には上下方向に空間が形成されるよう裏板２１，２２を取り付けて上下に亘るダクト状空間が形成されて成り、裏板２１，２２の下端及び上端には連通路Ｈ１〜Ｈ４が設けられてダクト状空間と本体１の内部が連通されて成り、更に側板１１の下部には外気を収納箱の内部に導入するための導入孔１１ｃを有するルーバー５が設けられて成る。【選択図】  図４
2017045769.tif 000002
【特許請求の範囲】
【請求項１】
少なくとも前面が開放された箱状の本体と、前記本体の開放された面を閉塞する扉板とを有する金属製の電気機器収納箱であって、
前記本体の天板には通気口が開口形成されると共に、前記天板上には屋根板が配置されて前記通気口上部が一定の隙間を設けて覆われて成り、
前記本体の左右側板及び前記扉板のうち、少なくとも一方の背部には上下方向に空間が形成されるよう裏板を取り付けて上下に亘るダクト状空間が形成されて成り、
前記ダクト状空間の下部は、前記裏板の下端に設けられた連通路を介して前記本体の内部に連通されると共に、
前記ダクト状空間の上部は、前記裏板に設けた連通路を介して前記本体の内部と連通されるか、前記本体の天板に設けた排気孔を介して前記屋根板下部に連通されて成り、
更に前記側板の下部には外気を前記本体の内部に導入するための導入孔が設けられて成ることを特徴とする電気機器収納箱。
【請求項２】
前記裏板は、取り付け対象の前記左右側板或いは前記扉板に対して背面全体に設置され、当該背面の全体をダクト状空間としたことを特徴とする請求項１記載の電気機器収納箱。
【請求項３】
前記天板に設けた前記通気口は、天板に突設したフランジ状の縁部の内部に形成され、
前記縁部の周囲は、前記屋根板の周囲に垂下形成された側辺により覆われて成ることを特徴とする請求項１又は２記載の電気機器収納箱。
【発明の詳細な説明】
【技術分野】
【０００１】
本発明は電気機器収納箱に関し、特に直射日光を浴びても内部の温度上昇を抑制する機構を備えた電気機器収納箱に関する。
【背景技術】
【０００２】
屋外に設置される従来の電気機器収納箱には、内部温度の上昇を抑制するために遮蔽板（遮光板）が取り付けられたものがあった。例えば、特許文献１では電気機器収納箱の側面や天板、更に扉に各面を覆う様に遮蔽板を取り付けて箱内部の発熱を抑制した。
【先行技術文献】
【特許文献】
【０００３】
【特許文献１】特開２０１４−２０３９３９号公報
【発明の概要】
【発明が解決しようとする課題】
【０００４】
しかしながら、遮蔽板を取り付ける構造は、遮蔽板自体が一定の厚みを有するため、箱の外寸が大きくなり、箱の大型化に繋がり好ましい構造ではなかった。
また、金属製の箱を暴露状態におくと錆の発生により劣化し易いため、端面が露出しないよう金属板の連結部は全溶接を実施する必要があるが、上記特許文献１にあるような遮蔽板を設けた構成は、折り曲げ部や開口部が多く、錆が発生し易かった。
【０００５】
そこで、本発明はこのような問題点に鑑み、遮蔽板を取り付けること無く内部の温度上昇を抑制でき、合わせて防錆効果のある全溶接を実施し易い電気機器用収納箱を提供することを目的としている。
【課題を解決するための手段】
【０００６】
上記課題を解決する為に、請求項１の発明は、少なくとも前面が開放された箱状の本体と、本体の開放された面を閉塞する扉板とを有する金属製の電気機器収納箱であって、本体の天板には通気口が開口形成されると共に、天板上には屋根板が配置されて通気口上部が一定の隙間を設けて覆われて成り、本体の左右側板及び扉板のうち、少なくとも一方の背部には上下方向に空間が形成されるよう裏板を取り付けて上下に亘るダクト状空間が形成されて成り、ダクト状空間の下部は、裏板の下端に設けられた連通路を介して本体の内部に連通されると共に、ダクト状空間の上部は、裏板に設けた連通路を介して本体の内部と連通されるか、本体の天板に設けた排気孔を介して屋根板下部に連通されて成り、更に側板の下部には外気を本体の内部に導入するための導入孔が設けられて成ることを特徴とする。
この構成によれば、扉板或いは側板に裏板を設け、二重に形成してダクト状空間を設けるため、直射日光により熱せられた空気をダクト状空間において上方に対流させることができ、遮蔽板を周囲に設けること無く収納箱内部の温度上昇を抑制できる。そのため、収納箱の外形寸法を抑制できる。
また、ダクト状空間を設けても、これらは側板や扉板の背面に形成されるため、側板や扉板は引き続き全溶接構造にし易く、防錆性能を維持できる。
【０００７】
請求項２の発明は、請求項１に記載の構成において、裏板は、取り付け対象の左右側板或いは扉板に対して背面全体に設置され、当該背面の全体をダクト状空間としたことを特徴とする。
この構成によれば、裏板が取り付けられた側板或いは扉板は、温度が上昇しても収納箱内部に直接熱が伝わることが無く、内部の温度上昇を抑制できる。
【０００８】
請求項３の発明は、請求項１又は２に記載の構成において、天板に設けた通気口は、天板に突設したフランジ状の縁部の内部に形成され、縁部の周囲は、屋根板の周囲に垂下形成された側辺により覆われて成ることを特徴とする。
この構成によれば、天板に形成された通気口からの雨水の侵入を防止できる。
【発明の効果】
【０００９】
本発明によれば、扉板或いは側板に裏板を設け、二重に形成してダクト状空間を設けるため、直射日光により熱せられた空気をダクト状空間において上方に対流させることができ、遮蔽板を周囲に設けること無く収納箱内部の温度上昇を抑制できる。そのため、収納箱の外形寸法を抑制できる。
また、ダクト状空間を設けても、これらは側板や扉板の背面に形成されるため、側板や扉板は引き続き全溶接構造にし易く、防錆性能を維持できる。
【図面の簡単な説明】
【００１０】
【図１】本発明に係る電気機器収納箱の一例を示す斜視図である。
【図２】屋根板を外した図１の電気機器収納箱である。
【図３】図１の電気機器収納箱の（ａ）は正面図、（ｂ）は右側面図である。
【図４】Ａ−Ａ線断面を斜め上方から見た説明図である。
【図５】Ｂ−Ｂ線断面説明図である。
【図６】Ｃ−Ｃ線断面説明図であり、上下端部を拡大して示している。
【図７】Ｃ−Ｃ線断面を斜め下方から見た説明図である。
【図８】扉板を取り外した電気機器収納箱を斜め下方から見た説明図である。
【図９】電気機器収納箱の他の形態を示し、屋根板を外した斜視図である。
【発明を実施するための形態】
【００１１】
以下、本発明を具体化した実施の形態を、図面を参照して詳細に説明する。図１〜３は本発明に係る電気機器収納箱の一例を示し、図１は斜視図、図２は一部部材を外した斜視図、図３（ａ）は正面図、図３（ｂ）は右側面図であり、１は機器を収容する収納箱の本体、２は本体１の前面に配置された扉板、３は本体１の上部を覆う屋根板であり何れも金属板を加工して形成されている。また、５は通気のために設けた合成樹脂製のルーバーである。
【００１２】
本体１は、左右側板１１（左側板１１ａ，右側板１１ｂ）、天板１２、底板１３（図５に示す）、背板１４を有し前面全体が開放され、この前面に扉板２が配置され、本体１の前面を開閉可能としている。また、天板１２には通気口１２ａが形成され、この通気口１２ａの周囲はフランジ状に突出形成した縁部１５で覆われている。
【００１３】
屋根板３は、天板１２全体を覆う大きさで形成され、天板１２に形成された縁部１５に対して一定の間隔を設けて配置されている。また、周囲は垂下形成した側辺３ａが設けられ、この側辺３ａにより縁部１５は囲まれている。
【００１４】
ルーバー５は、側板１１の下部に取り付けられており、ルーバー５の背部に設けられた筒体（図５に示す）５ａが側板１１に形成された導入孔としての開口部１１ｃ（図５に示す）に挿通配置され、外部空気の導入部を形成している。
【００１５】
図４は、図３に示すＡ−Ａ線断面を斜め上方から見た説明図である。この図４に示すように、左右側板１１の背部には、一定間隔の空間を形成して配置された裏板（側方裏板）２１が設けられている。また、扉板２の背部にも同様に、一定間隔の空間を形成して配置された裏板（前側裏板）２２が設けられている。
この裏板２１，２２は、側板１１及び扉板２の背面が収納箱内部に直接露出しないようそれぞれの背面のほぼ全域に亘り設けられている。
【００１６】
図５は、図３に示すＢ−Ｂ線断面図であり、この図５に示すように側板１１に設けられた側方裏板２１は側板１１と平行に配置され、上下に亘り一定間隔の空間を形成している。そして、側方裏板２１の下端及び上端には、側板１１と側方裏板２１の間に形成された空間と本体１の内部空間とを連通する連通路Ｈ１，Ｈ２が設けられている。こうして、下部に空気の流入口（連通路Ｈ１）が形成されると共に、上部に流出口（連通路Ｈ２）が形成され、側板１１の背部に空気が上方へ流動するダクト状空間が形成されている。
具体的に、下端の連通路Ｈ１は、側方裏板２１の下端を切り欠いて開口部２１ａ（図６に示す）を設けて形成され、上端の連通路Ｈ２は、側方裏板２１の上端を本体１の内部方向へ折り曲げて隙間を設けることで形成されている。
【００１７】
図６は、図３に示すＣ−Ｃ線断面図であり、この図６に示すように扉板２に設けられた前側裏板２２は扉板１と平行に配置され、上下に亘り一定間隔の空間を形成している。そして、前側裏板２２の下端及び上端には、扉板２と前側裏板２２の間に形成された空間と本体１の内部空間とを連通する連通路Ｈ３，Ｈ４が設けられている。こうして、下部に空気の流入口（連通路Ｈ３）が形成されると共に、上部に流出口（連通路Ｈ４）が形成され、扉板２の背部に空気が上方へ流動するダクト状空間が形成されている。
具体的に、下端の連通路Ｈ３は、前側裏板２２が本体１の内部に入り込むことで扉板２の裏側に発生する隙間で形成され、上端の連通路Ｈ４は、前側裏板２２の上端を本体１の内部方向へ折り曲げて隙間を設けることで形成されている。
尚、前側裏板２２の下端に形成した連通路Ｈ３は、側板１１の下部に形成された連通路Ｈ１と同様に前側裏板２２の下端を切り欠いて開口形成しても良い。
【００１８】
この結果、直射日光等で電気機器収納箱の側板１１が熱せられて、背部の空気温度が上昇したら、側板１１と側方裏板２１とで形成されたダクト状空間内において上方に向けて空気の対流が発生し、上部の連通路Ｈ２から本体１の内部に流れ出る。この熱せられた空気は、図５の矢印Ｍ２に示すように本体１の内部空間の上方に流れ出る。こうして流れ出た空気は、天板１２の開口部１２ａから外に出て、屋根板３と天板１２の隙間から外部に流れ出る。
一方、本体１の下部においては、ルーバー５を介して外部から流入した空気が、図５の矢印Ｍ１に示すように連通路Ｈ１からダクト状空間に入り込み、空気の対流を促す。
【００１９】
また直射日光等で扉板２が熱せられて背部の空気の温度が上昇したら、扉板２と前側裏板２２とで形成されたダクト状空間内において上方に向けて空気の対流が発生し、上部の開口部Ｈ４から本体１の内部に流れ出る。この熱せられた空気は、図６の矢印Ｍ４に示すように本体１の内部空間の上方に流れ出る。こうして流れ出た空気は、天板１２の開口部１２ａから外に出て、屋根板３と天板１２の隙間から外部に流れ出る。
一方、本体１の下部においては、ルーバー５を介して外部から流入した空気が、矢印Ｍ３に示すように連通路Ｈ３からダクト状空間に入り込み、空気の対流を促す。
【００２０】
このように、側板１１及び扉板２に裏板２１，２２を設け、二重に形成してダクト状空間を設けることで、直射日光等で熱せられた空気をダクト状空間において上方に対流させることができ、遮蔽板を周囲に設けること無く収納箱内部の温度上昇を抑制できる。そのため、収納箱の外形寸法を抑制できる。
また、ダクト状空間を設けても、これらは側板１１や扉板２の背面に形成されるため、側板１１や扉板２は引き続き全溶接構造にし易く、防錆性能を維持できる。
更に、側板１１、扉板２は裏板２１，２２が背部全域に取り付けられるため、側板１１、扉板２の温度が上昇しても本体１の内部に直接熱が伝わることが無く、内部の温度上昇を抑制できる。
加えて、天板１２に形成された通気口１２ａはフランジ状の縁部１５で覆われているし、その周囲は屋根板３の側辺３ａで囲まれているため、通気口１２ａへの雨水の侵入を防止できる。
【００２１】
図７はＣ−Ｃ線断面を斜め下方から見た状態を示している。図７に示すように、天板１２の裏面の通気口１２ａ周囲には、防虫網取付片１６が設けられ、防虫網１７を容易に設置可能としている。また、図８は扉板２を外した本体を示し、前方斜め下方から見た状態を示している。図８に示すように、屋根板３は背面にねじ孔３ｃを有し、天板１２にねじ２５により固定される。また、屋根板３の側辺３ａの前後下部には通気を良好にするための切り欠き３ｂが設けられている。
【００２２】
図９は電気機器収納箱の他の形態を示し、上記図２に対応する斜視図を示している。上記形態との相違点は、側板１１の背部に形成したダクト状空間上部の連通路Ｈ２を本体１の内部との間に設けず、側方裏板２１を天板に連結し、天板１２に連通路Ｈ２として排気孔１２ｂを設けて外部（屋根板下部）と連通している点である。このように、直接外部に放出させても良い。
【００２３】
尚、左右側板１１と扉板２の双方にダクト状空間を設けているが、何れか一方のみに設けるだけでも良い。
【符号の説明】
【００２４】
１・・本体、２・・扉板、３・・屋根板、３ａ・・側辺、５・・ルーバー、１１・・側板、１１ｃ・・開口部（導入孔）、１２・・天板、１２ａ・・通気口、１２ｂ・・排気孔、１５・・縁部、２１・・側方裏板（裏板）、２１ａ・・開口部、２２・・前側裏板（裏板）、Ｈ１〜Ｈ４・・連通路。
【図１】
2017045769.tif 000003
【図２】
2017045769.tif 000004
【図３】
2017045769.tif 000005
【図４】
2017045769.tif 000006
【図５】
2017045769.tif 000007
【図６】
2017045769.tif 000008
【図７】
2017045769.tif 000009
【図８】
2017045769.tif 000010
【図９】
2017045769.tif 000011